(57)【要約】      （修正有）【課題】人形用ヘアウィッグを両面粘着テープで人形頭部に固定した場合の脱着時に頭髪繊維が抜け落ちないようにする。【解決手段】人形用ヘアウィッグは、人形の頭部２０に被せられるウィッグベース１０と、当該ウィッグベースに縫い込まれた毛髪部５と、前記ウィッグベースの内側に嵌着され前記ウィッグベースと人形の頭部とを隔てる内側層１５を備える。この内側層は軟質塩化ビニルをスラッシュ成形して得られる。この内側層を介在させることにより、頭髪繊維が直接粘着テープに触れるようなことがなく、ヘアウィッグ脱着時の抜け落ちが防止される。【選択図】図２
0003119316.tif 000002
【実用新案登録請求の範囲】
【請求項１】
人形の頭部に被せられるウィッグベースと、当該ウィッグベースに縫い込まれた毛髪部とを備える人形用ヘアウィッグにおいて、前記ウィッグベースの内側に嵌着され前記ウィッグベースと人形の頭部とを隔てる内側層を備えることを特徴とする人形用ウィッグ。
【請求項２】
請求項１に記載の人形用ヘアウィッグにおいて、前記内側層が軟質塩化ビニルでなる略半球形状の層であることを特徴とする人形用ヘアウィッグ。
【請求項３】
請求項２に記載の人形用ヘアウィッグにおいて、前記内側層がスラッシュ成形により製造されていることを特徴とする人形用ヘアウィッグ。
【請求項４】
請求項１乃至３のいずれかに記載の人形用ヘアウィッグにおいて、前記内側層が前記人形の頭部に係合または嵌合する凹凸部を具えることを特徴とする人形用ヘアウィッグ。
【考案の詳細な説明】
【技術分野】
【０００１】
本考案は人形用ヘアウィッグに関し、特に、両面粘着テープで取り付けた場合の脱着時に毛の抜け落ち等の問題を解決した人形用ヘアウィッグに関する。
【背景技術】
【０００２】
近年、大人の趣味としてドールカスタマイズなる概念が確立されており、利用者は服や装飾品のみならず、好みの顔や髪型を組み合わせて自分だけの人形を楽しめるようになっている。このような人形は頭部とヘアウィッグが別々に提供されており、利用者が好みの色や質感のウィッグを購入して人形を構成することができる。近年の人形用ヘアウィッグは極細の塩化ビニリデン系樹脂の繊維を用いており（例えば、特許文献１）、これを人形の頭部を覆う半球形状のウィッグベースに縫い込んで構成されている。図４は、このような従来の人形用ヘアウィッグを斜め下から見た状態を示す概略図である。この図はウィッグベースの裏側を説明するためのものであり、頭髪繊維を一部簡略化して示す。
【０００３】
また、過去の文献として、髪型を変えることができる髪替人形が特許文献２に提案されている。
【特許文献１】特開平１１−１２３２８４号公報
【特許文献２】実開平６−３６６９０号公報
【考案の開示】
【考案が解決しようとする課題】
【０００４】
図４に示すように、ウィッグベース１０に合成繊維２０が縫い込まれてウィッグが構成されている。これは繊維の束の中央をウィッグベース１０の縫い目に潜らせて達成される。ここで各繊維はウィッグベース１０に結び目等で固定されておらず、片側を強く引っ張れば抜け落ちてしまうものである。この場合にも通常の使用において頭髪繊維が抜け落ちることは殆どないが、利用者によってはヘアウィッグと人形の頭頂部を両面粘着テープで貼り付けることがあり、この場合ヘアウィッグ脱着時に頭髪繊維が両面粘着テープに引っ張られヘアウィッグから抜け落ちてしまうという問題がある。
【０００５】
本考案はこのような不都合を解消すべくなされたものであり、ヘアウィッグにおいて人形頭頂部に接する面に頭髪繊維が露出しないようにして、ヘアウィッグを両面粘着テープで固定した場合の脱着時に頭髪繊維が抜け落ちないようにした人形用ヘアウィッグを提供することを目的とする。
【課題を解決するための手段】
【０００６】
本考案は、人形の頭部の一部に被せられるウィッグベースと、当該ウィッグベースに縫い込まれた毛髪部とを備える人形用ヘアウィッグにおいて、前記ウィッグベースの内側に嵌着され前記ウィッグベースと人形の頭部とを隔てる内側層を備えることを最も主要な特徴とする。
【０００７】
前記内側層は軟質塩化ビニルでなる略半球形状の層であることが好ましい。
【０００８】
前記内側層がスラッシュ成形により製造されていることが好ましい。
【０００９】
前記内側層が前記人形の頭部に係合または嵌合する凹凸部を具えることが好ましい。
【考案の効果】
【００１０】
本考案にかかる人形用ヘアウィッグは、毛髪繊維を縫い込んだウィッグベースの内側に、当該ウィッグベースと人形頭部とを隔てる薄い層を具えるため、ウィッグベース及びこれに縫い込まれた毛髪繊維が人形の頭頂部に直に接触することがない。したがって、人形の頭頂部に両面粘着テープを貼ってウィッグを固定した場合でも、粘着テープに毛髪繊維が貼り付くことがなく、ウィッグの脱着時に毛髪繊維が抜け落ちることがない。
【００１１】
また、この内側層を軟質塩化ビニルで略半球形状に構成すると、適度な可撓性が付与され人形頭部への着脱が容易になるとともに、ヘアウィッグが人形頭部へ好適にフィットする。
【００１２】
また、この内側層をスラッシュ成形で製造すると、内側層を安価かつ容易に薄く製造することができる。
【００１３】
また、この内側層に人形頭部に係合または嵌合する凹凸のような手段を設けると、確実にウィッグを人形頭部へフィットさせることができる。
【考案を実施するための最良の形態】
【００１４】
本考案を実施するための最良の形態を、添付の図面を参照しながら以下に詳細に説明する。
【００１５】
図１は、本考案にかかる人形用ヘアウィッグを斜め下から見た状態を示す概略図であり、図２はヘアウィッグ１の概略分解図である。本願の添付図面では説明のため毛髪繊維を一部簡略化して示している。図１に示すように、人形用ヘアウィッグ１は、毛髪繊維５を縫い込んだウィッグベース１０と、当該ウィッグベース１０の内側に嵌着された内側層１５とを具えている。毛髪繊維５は特に限定するものではなく、例えばポリ塩化ビニリデン系、ポリ塩化ビニル系、ポリアミド系、ポリアクリロニトリル系、ポリエステル系、ポリプロピレン系、ポリエチレン系樹脂などの合繊繊維を好適に用いることができる。またその断面形状は円形の他、考え得る様々な形状であってよい。さらに毛髪の色も様々に着色されていてもよい。
【００１６】
ウィッグベース１０は例えば軟質塩化ビニル樹脂でなり、好適にはブロー成形により製造される。このウィッグベース１０は厚さ約１．５mm程度であり、繊維５を縫い込んで保持するのに十分な強度を有している。図２や図３に示すように、毛髪繊維５はこのウィッグベース１０に公知の方法で縫い込まれる。毛髪繊維５は熱処理等により捲縮されてもよく、また製造時あるいは販売後に任意の髪型にカットされてもよい。
【００１７】
内側層１５は、好ましくはウィッグベース１０と同じ素材の軟質塩化ビニルをスラッシュ成形して構成される。スラッシュ成形によれば膜の薄い成形品を安価に製造することができ好適である。内側層１５の厚さは、好ましくは１mm以下であり、柔軟な可撓性を有する。内側層１５の外側面はウィッグベース１０の内側にすっぽり嵌る寸法形状であり、また内側層１５の内側面は人形頭部２０にすっぽり被さる寸法形状に形成される。本実施例の内側層１５は、毛髪繊維５を編み込んだウィッグベース１０の内側に接着剤等で一体的に接着される。ただし、これは必須の構成ではなく、ウィッグベース１０と内側層１５は接着剤等の手段を用いることなく単に嵌着されているだけでもよい。図２に示すように、内側層１５は着用方向を示す線１５ａを設けて製造されており、利用者はこれを目安に人形頭部２０に内側層１５やヘアウィッグ１を被せることができる。
【００１８】
そして、図２に示すように内側層１５を具えるヘアウィッグ１を人形の頭部２０に被せることにより、利用者は好みの頭髪の人形を構成することができる。ここで、ウィッグベース１０及び内側層１５は軟質塩化ビニルで構成され、適度な可撓性を有し人形頭部２０にぴったりフィットする。また、利用者が人形頭部２０の頭頂部に両面粘着テープを貼ってヘアウィッグ１を貼り付けた場合にも、両面粘着テープが直接ウィッグベース１０の裏側で毛髪繊維５に直接触れることがなく、ヘアウィッグ１の脱着時に毛髪繊維５が抜け落ちるようなことがない。
【００１９】
図３は、本考案の変形例の構成を説明するための概略断面図である。本図には、内側層３０と人形頭部４０のみを示すが、内側層３０の上には頭髪繊維が縫い込まれたウィッグベースが被せられるものとする。本図に示すように、内側層３０の内側面と、人形頭部４０の頭頂部には相対応する凹凸３０ａ、４０ａが設けられており、内側層３０の凸部３０ａが人形頭部の凹部４０ａに嵌ることによりヘアウィッグの位置ずれ等が防止されるようになっている。この内側層３０の作成はスラッシュ成形では困難であるため、ブロー成形で作成する。なお、凹凸の形状はどのようなものでもよく、円形や三角形、四角形などにすることができる。ここで凹凸形状を三角形等とすると、ウィッグの向きを位置決めすることができて好適である。
【００２０】
以上に本考案にかかる人形用ヘアウィッグについて詳細に説明したが、本考案の技術的範囲は上記実施例に限定されるものではなく、他の様々な変形例として実現することができる。例えば、ヘアウィッグを構成するウィッグベースは一枚の軟質樹脂ではなくネット状のメッシュシートであってもよい。また、ウィッグベースや内側層の寸法形状は適用する人形頭部の形状に応じて変化するものとする。
【産業上の利用可能性】
【００２１】
本考案は、人形製造業や繊維業で好適に利用することができる。
【図面の簡単な説明】
【００２２】
【図１】本考案の人形用ヘアウィッグの構成を示す斜視図である。
【図２】図１の人形用ヘアウィッグの分解斜視図である。
【図３】人形用ヘアウィッグの変形例の構成を示す部分断面図である。
【図４】従来の人形用ヘアウィッグの構成を示す斜視図である。
【符号の説明】
【００２３】
１      人形用ヘアウィッグ
５      頭髪繊維
１０    ウィッグベース
１５、３０    内側層
２０、４０    人形頭部
【図１】
0003119316.tif 000003
【図２】
0003119316.tif 000004
【図３】
0003119316.tif 000005
【図４】
0003119316.tif 000006